(57)【要約】【課題】  簡単な構成並びに工程にて、画像形成装置装着前に凝集したトナーを確実に攪拌することを可能とするトナー収納容器の提供。【解決手段】  画像形成装置に着脱可能に取付けられるトナー収納容器であって、内部にトナーを収納するハウジングと、該ハウジングに収納されるトナーを攪拌するための攪拌手段と、該攪拌手段を回転可能に支持すると共に前記ハウジングの一端から突出する攪拌軸と、前記ハウジングの一端に回転可能に配設されると共に該回転により前記ハウジングを前記画像形成装置に固定及び固定解除するロック部材とを具備してなり、該ロック部材は、固定解除位置から固定位置に回転する際には前記攪拌軸と噛合して当該攪拌軸を連動回転させ、且つ固定位置への回転終了時には前記攪拌軸との噛合が解除されることを特徴とするトナー収納容器である。【選択図】  図１
2007316447.tif 000002
【特許請求の範囲】
【請求項１】
画像形成装置に着脱可能に取付けられるトナー収納容器であって、
内部にトナーを収納するハウジングと、
該ハウジングに収納されるトナーを攪拌するための攪拌部材と、
該攪拌部材を回転可能に支持すると共に前記ハウジングの一端から突出する攪拌軸と、
前記ハウジングの一端に回転可能に配設されると共に該回転により前記ハウジングを前記画像形成装置に固定及び固定解除するロック部材とを具備してなり、
該ロック部材は、固定解除位置から固定位置に回転する際には前記攪拌軸と噛合して当該攪拌軸を連動回転させ、且つ固定位置への回転終了時には前記攪拌軸との噛合が解除されることを特徴とするトナー収納容器。
【請求項２】
請求項１記載のトナー収納容器を備えてなることを特徴とする画像形成装置。
【発明の詳細な説明】
【技術分野】
【０００１】
本発明は、トナー収納容器及びこれを備える画像形成装置に関し、より詳しくは、簡単な構成並びに工程にて、画像形成装置装着前に凝集したトナーを確実に解すことを可能とするトナー収納容器及びこれを備える画像形成装置に関するものである。
【背景技術】
【０００２】
従来、プリンタ、複写機、ファクシミリ等に代表される画像形成装置の中には、内部にトナーを収容したトナーカートリッジ、トナーコンテナ等のトナー収納容器を着脱可能に備え、このトナー収納容器内のトナーを使い果たすと、新しいトナー収納容器と交換するように構成されているものが存在する。
このような画像形成装置において、トナー収納容器は、独立して構成されているため、一般的には、交換部品として内部にトナーが収容された状態で、単独で保管及び運搬等されるものとして扱われる。
【０００３】
この際、このようなトナー収納容器は、保管及び運搬等の際に、トナー収納容器内部に収容されたトナーが凝集してしまうことがある。これは、トナー収納容器の長手方向を地面に対して直角状態で載置（通常、トナー収納容器は横長に形成されているため、設置のスペースを考慮してこのように載置されることが多い）して運搬する際に、特に顕著に生じる。
【０００４】
このようにトナーが凝集したトナー収納容器をそのままの状態で画像形成装置に装着・使用すると、トナーが凝集しているため、現像装置に効率良くトナーが供給できず、印刷不良を引き起こしてしまう。
また、トナー収納容器の内部には、現像装置にトナーを攪拌・供給するための攪拌パドルや搬送スクリューといった部材がモータ等の駆動手段を介して回転可能に配設されているため、上述の如く、トナーが凝集していると、上記部材及びこれを駆動させる駆動手段に多大なる負荷が生じることとなり、上記部材の破損或いは駆動手段の損傷を引き起こす虞がある。
【０００５】
このため、通常、上記したようなトナー収納容器には、「使用前にトナー収納容器をよく振ってから画像形成装置に装着する」、「保管の方法について（トナー収納容器の長手方向を地面と平行にする等）」といった旨を記載した注意書きを同梱し、画像形成装置装着前に凝集したトナーを解すことを促している。
【０００６】
しかしながら、このような注意書きの通りに作業が行われることは、むしろ稀であり、上記した問題が解消されるとは言い難い。
また、仮に注意書き通りに作業が行われたとしても、メンテナンス等の理由により、一時的に画像形成装置外にトナー収納容器を保管する際に、注意書きも同様に保管される可能性は極めて低いと言え、再装着時には、注意書き通りの作業が行われない可能性がある。
【０００７】
このような問題の解決策として、例えば、下記特許文献１には、現像装置に取り付けられ、現像装置から駆動力を受けるトナーカートリッジにおいて、現像剤を収納するためのトナー補給容器と、該トナー補給容器の所定位置に設けられた開口と、該開口を開放可能に塞ぐシール部材と、前記トナー補給容器内の現像剤を攪拌する攪拌部と現像装置の駆動部材と係合し前記攪拌部に駆動力を伝達する駆動伝達部を有する攪拌部材とを備え、前記駆動伝達部が前記駆動部材から駆動力を受けて前記攪拌部が軸方向に揺動する手段を有する構成が開示されている。
【０００８】
しかしながら、このような構成では、構造そのものが複雑化するため、生産効率に乏しいと言える。また、モータ等の機械的駆動を利用して攪拌部の揺動を行い、凝集したトナーを解すため、攪拌部材や駆動伝達部にかかる負荷は必ずしも小さいとは言えない。
【０００９】
また、下記特許文献２には、プリンタ本体に固定するためのロックレバーと、ロックレバーの固定動作に連動して回転するロックレバーギヤと、現像剤攪拌部材に駆動力を伝達する攪拌部材駆動ギヤとを有するイメージングカートリッジが開示されている。このイメージングカートリッジは、固定のための動作の段階においては、ロックレバーギヤと攪拌部材駆動ギヤとを噛合させて、人的にロックレバーを回動させることにより、現像剤の攪拌を行い、イメージングカートリッジをプリンタ本体に完全に固定する段階においては、人的にロックレバーをイメージングカートリッジ側に押し込み、ロックレバーギヤと攪拌部材駆動ギヤとの噛合を解除すると共にプリンタ本体に設けられたロック爪にロックレバーを嵌合させる構成となっている。
【００１０】
このような構成によれば、作業者による人的な攪拌によるものであるので、機械的攪拌に比して手加減が為されるため、特許文献１の発明よりも攪拌部材等にかかる負荷を抑制することができる。
しかしながら、構造自体の複雑さは解消されたと言えず、また、カートリッジをプリンタ本体に取り付ける工程も単純ではないため、作業者にかかる負担も大きく、万人に適合しているとは言い難い。
【００１１】
【特許文献１】特開２０００−１８１２０７号公報
【特許文献２】特開２００５−５５７４９号公報
【発明の開示】
【発明が解決しようとする課題】
【００１２】
本発明は上記実情を鑑みてなされたものであって、簡単な構成並びに工程にて、画像形成装置装着前に凝集したトナーを確実に解すことを可能とするトナー収納容器及びこれを用いた画像形成装置を提供することを目的とする。
【課題を解決するための手段】
【００１３】
請求項１に係る発明は、画像形成装置に着脱可能に取付けられるトナー収納容器であって、内部にトナーを収納するハウジングと、該ハウジングに収納されるトナーを攪拌するための攪拌部材と、該攪拌部材を回転可能に支持すると共に前記ハウジングの一端から突出する攪拌軸と、前記ハウジングの一端に回転可能に配設されると共に該回転により前記ハウジングを前記画像形成装置に固定及び固定解除するロック部材とを具備してなり、該ロック部材は、固定解除位置から固定位置に回転する際には前記攪拌軸と噛合して当該攪拌軸を連動回転させ、且つ固定位置への回転終了時には前記攪拌軸との噛合が解除されることを特徴とするトナー収納容器に関する。
【００１４】
請求項２に係る発明は、請求項１記載のトナー収納容器を備えてなることを特徴とする画像形成装置に関する。
【発明の効果】
【００１５】
請求項１に係る発明によれば、ロック部材は、固定解除位置から固定位置に回転する際には攪拌軸と噛合して当該攪拌軸を連動回転させ、且つ固定位置への回転終了時には攪拌軸との噛合が解除されることにより、非常に簡単な構成にて、ハウジング内の凝集したトナーを解すことが可能となり、効率良いトナー供給を行うことができる。
また、ロック部材の固定及び固定解除のための回転を利用して、ハウジング内の凝集したトナーを攪拌することにより、作業者により手加減が為されて凝集したトナーの解しが行わるため、攪拌部材等にかかる負荷を抑制することが可能となる。また、メンテナンス等の理由により一時的に画像形成装置外に保管されたとしても、再度、画像形成装置に装着する際に確実に凝集したトナーを攪拌することが可能となる。
更に、ロック部材の回転のみでハウジングを画像形成装置に固定及び固定解除する構成であるため、作業者はロック部材を回転させるのみで良く、作業者にかかる負担も極めて小さい。
【００１６】
請求項２に係る発明によれば、トナー凝集による負荷がかかることのない画像形成装置を提供することができる。
【発明を実施するための最良の形態】
【００１７】
以下、本発明に係るトナー収納容器の好適な実施形態について、図面を参照しつつ説明する。
図１（ａ）は、本発明に係るトナー収納容器を示す概略斜視図であり、図１（ｂ）は、本発明に係るトナー収納容器において蓋体を取り外した状態を示す概略斜視図である。
また、図２は、図１におけるＡ−Ａ線概略断面図である。
以下、図１及び図２を参照しつつ説明する。
尚、図１（ａ）は、後述するロック部材が固定位置にある状態を示し、図１（ｂ）は、ロック部材が固定解除位置にある状態を示している。
本発明に係るトナー収納容器において、ロック部材は、通常、固定解除位置で保管、運搬される。
【００１８】
トナー収納容器（Ｃ）は、プリンタ、複写機、ファクシミリ等の画像形成装置に着脱可能に取付けられるものであり、ハウジング（１）と蓋体（２）とから本体部が構成され、攪拌部材（３）と、トナー供給口（４）と、搬送部材（５）と、ロック部材（６）とを具備している。
トナー収納容器（Ｃ）本体部を構成する素材としては、特に限定はないが、例えば、スチレン系樹脂、ＡＢＳ樹脂等の合成樹脂を挙げることができる。これにより、複雑成形及び大量生産が容易となり、また、比較的軽量であるので取り扱いが容易となる。
【００１９】
図示される如く、ハウジング（１）は、略直方体形状に形成されると共に、その一面（以下、上面とする）が開放しており、蓋体（２）によって上面を覆い、封着することにより、内部に収容空間（１１）を形成しつつ本体部を構成する。この本体部に形成された収容空間（１１）にトナー（図示せず）が収容される。
尚、ハウジング（１）と蓋体（２）との封着の手段は、特に限定されないが、例えば、超音波溶着を挙げることができる。
【００２０】
攪拌部材（３）は、ＰＥＴフィルム等の弾性素材により構成されているパドル状の部材であり、収容空間（１１）内において、前記本体部の長手方向と平行に且つ全体に亘って、回転可能に一つ或いは複数（図示例においては二つ）配設される攪拌軸（３１，３２）に夫々支持されている。
【００２１】
これにより、攪拌部材（３）は、攪拌軸（３１，３２）の回転に応じて攪拌動作を行い、収容空間（１１）に収容されるトナーを掻き解して、搬送部材（５）が設けられる狭小空間部（１１ａ）へとトナーを送出する。
尚、攪拌部材（３）は、前記本体部内壁面にその一部分が密接状態となるようにして攪拌動作を行う。これにより、トナーを過不足なく狭小空間部（１１ａ）へと送出することが可能となる。
【００２２】
トナー供給口（４）は、画像形成装置に設けられる現像装置（図示せず）へとトナーを供給するための開口部であり、シャッター部材（４１）により開閉可能に構成されている（図２参照）。
このトナー供給口（４）は、トナー収納容器（Ｃ）が画像形成装置に装着された状態において、前記現像装置のトナー受入口上部を覆うように位置し、現像装置へのトナー供給経路を形成する。
【００２３】
シャッター部材（４１）は、トナー収納容器（Ｃ）の画像形成装置への装着動作に応じてトナー供給口（４）を開口するように、例えば、トナー収納容器（Ｃ）の装着の際、画像形成装置に設けられるストッパに係止され、トナー収納容器（Ｃ）装着方向と逆方向へとスライドするように構成される。この際、シャッター部材（４１）は、バネ等の弾性体により常時トナー供給口（４）を閉鎖するように構成することが好ましい。
【００２４】
搬送部材（５）は、狭小空間部（１１ａ）に回転可能に配設される、所謂スクリュー状の部材であり、トナー供給口（４）上部を横断するようにして、前記本体部の長手方向と平行に且つ全体に亘って形成されている。
この搬送部材（５）が回転することにより、攪拌部材（３）から送出されたトナーをトナー供給口（４）へと搬送する。
【００２５】
ロック部材（６）は、前記本体部、より詳しくは、ハウジング（１）の一端（図１においては手前側の面右部）に回転可能に設けられる軸部（６１）と、軸部（６１）に固定状態で設けられる略直方体形状の本体部（６２）とから構成されており、トナー収納容器（Ｃ）と画像形成装置との固定及び固定解除の動作を行うものである。
【００２６】
また、上記したハウジング（１）の一端には、攪拌軸（３１）が所定量突出しており、ロック部材（６）の回転動作に連動して回転するように構成されている。この具体的な構成については後述する。
尚、前記本体部以外の部材に使用する素材としては、リサイクルの観点から、前記本体部と同様の素材（スチレン系樹脂、ＡＢＳ樹脂等の合成樹脂）を用いると好適であるが、剛性等を考慮して適宜変更することも当然可能である。
以上により、トナー収納容器（Ｃ）の基本構成が得られる。
【００２７】
次に、トナー収納容器（Ｃ）の駆動について説明する。
図３は、図１における矢印（Ｂ）方向からの概略斜視図である。
【００２８】
トナー収納容器（Ｃ）において、ロック部材（６）が配設されるハウジング（１）の一端と反対側の端面（以下、他端と称する）（図３においては手前側）には、攪拌軸（３１，３２）及び搬送部材（５）が所定量突出している。
この攪拌軸（３１，３２）の突出端には、被動ギヤ（３１ａ，３２ａ）が固定状態で配設されており、攪拌軸（３１，３２）の回転と一体となって回転動作を行う。
また、攪拌軸（３１）と攪拌軸（３２）との間、略中間の位置には、支持軸（７１）が配設されており、この支持軸（７１）は、被動ギヤ（３１ａ，３２ａ）の両者と噛合する駆動ギヤ（７）を回転可能に支持している。
【００２９】
駆動ギヤ（７）の側面部（７２）には、円弧状に形成された複数（図示例においては三つ）の係合部（７３）が形成されている。
この係合部（７３）は、画像形成装置にトナー収納容器（Ｃ）を装着した際、画像形成装置内の駆動手段（例えば、モータ等）に具備されるカップリング等の駆動部材（図示せず）に係合するように構成されている。
【００３０】
これにより、上記駆動手段により駆動部材が回転動作を行うことにより、係合部（７３）を介して駆動ギヤ（７）が回動する。この際、駆動ギヤ（７）と噛合する被動ギヤ（３１ａ，３２ａ）は、駆動ギヤ（７）の回転方向と逆方向（例えば、駆動ギヤ（７）の回転が時計回りの場合、反時計回り）に回動し、被動ギヤ（３１ａ，３２ａ）と一体配設される攪拌軸（３１，３２）を介して攪拌部材（３）が回動してトナーの攪拌及び搬送部材（５）側への送出を行う。
【００３１】
また、ハウジング（１）の他端より突出する搬送部材（５）は、上記した駆動ギヤを駆動させる駆動手段と、別体の駆動手段（モータ等）に接続されて回動し、上述したトナー供給口（４）へとトナーを搬送する。この際、搬送部材（５）の端部にギヤ部を設け、このギヤ部と被動ギヤ（３２ａ）との間に両者と噛合する被動ギヤを設けることで、駆動ギヤを駆動させる駆動手段のみでトナー収納容器（Ｃ）の駆動を構成することも当然可能である。
尚、図３において、被動ギヤ（３１ａ，３２ａ）と駆動ギヤ（７）とのギヤ歯部分の図示は省略する。
【００３２】
次いで、上述したロック部材と攪拌軸との連動の構成について説明する。
この連動の構成は、トナー収納容器内において凝集するトナーを、画像形成装置装着前に確実に解すためのものである。
図４は、本発明に係るトナー収納容器においてロック部材本体部を省略した状態を示す部分概略斜視図であり、（ａ）は、ロック部材が固定解除の状態を示しており、（ｂ）は、ロック部材が固定の状態を示している。
【００３３】
上述した如く、ハウジング（１）の一端（図４においては手前側の面右部）からは、攪拌軸（３１）が所定量突出している。この突出部の外周面には、ギヤ歯が形成されており、攪拌ギヤ部を構成している。
また、ロック部材（６）の軸部（６１）は、ハウジング（１）の一端に回転可能に配設されており、その端部には、ロックギヤ部が構成されている（軸部（６１）はハウジング（１）の一端に固定して、ロックギヤ部のみが回転するように構成しても良い）。
尚、図４において、攪拌ギヤ部及びロックギヤ部に形成されるギヤ歯部分の図示は省略する。
【００３４】
上記ロックギヤ部は、図４に示される如く、円柱を切欠いた扇状に形成されており、切欠かれていない円弧部分が上記攪拌ギヤ部側に位置する時に、攪拌ギヤ部と噛合するように構成されている。
これにより、ロックギヤ部（円弧部分）と攪拌ギヤ部が噛合している時は、ロックギヤ部の回転に連動して攪拌ギヤ部が回転し、噛合していない時、即ち、ロックギヤ部の切欠き部分が攪拌ギヤ部側に位置する時には、ロックギヤ部が回転しても攪拌ギヤ部は連動しないものとなる。
【００３５】
ここで、ロック部材（６）が、（画像形成装置に対して）固定解除位置から固定位置に回転すると、上記ロックギヤ部と上記攪拌ギヤ部とが噛合して攪拌軸（３１）を連動回転する。この際、ハウジング（１）の他端（図３参照）に設けられる駆動ギヤ（７）を介して攪拌軸（３２）も連動回転する。これにより、攪拌軸（３１，３２）に支持される攪拌部材（３）が攪拌動作を行う。
また、ロック部材（６）の固定位置への回転終了時には上記ロックギヤ部と上記攪拌ギヤ部との噛合が解除されるように構成する。
【００３６】
これにより、画像形成装置にトナー収納容器（Ｃ）を装着させる際、非常に簡単な構成にて、トナー収納容器（Ｃ）内において凝集したトナーを確実に解すことが可能となり、画像形成装置（現像装置）への効率良いトナー供給を行うことができる。また、ロック部材（６）の固定動作終了時には、上記ロックギヤ部と上記攪拌ギヤ部との噛合が解除されるので、画像形成装置内の駆動手段により攪拌軸（３１）が回転しても、ロック部材（６）は共回りせず、固定を保持することが可能となる。
【００３７】
また、ロック部材（６）の固定及び固定解除のための回転を利用して、トナー収納容器（Ｃ）内の凝集したトナーを攪拌する、即ち、作業者による人的な作業により、凝集したトナーの解しが行われるため、機械攪拌に比して攪拌部材（３）、攪拌軸（３１，３２）にかかる負荷を抑制することが可能となり、攪拌部材（３）、攪拌軸（３１，３２）等の破損を防止することが可能となる。また、メンテナンス等の理由により一時的にトナー収納容器（Ｃ）が画像形成装置外に保管されたとしても、再度、画像形成装置に装着する際に確実に凝集したトナーを攪拌することが可能となる。
更に、ロック部材（６）の回転動作のみでトナー収納容器（Ｃ）を画像形成装置に固定及び固定解除する構成であるため、作業者はロック部材（６）を回転させるのみで良く、作業者にかかる負担も極めて小さい。
【００３８】
尚、ロックギヤ部と攪拌ギヤ部とは、ロック部材（６）が固定解除位置から固定位置へと回転する際に、攪拌軸（３１，３２）が略一回転するようにギヤ比を調整しておくことが好ましい。これにより、トナー収納容器（Ｃ）内の略全域に亘って攪拌を行うことが可能となる。
また、これ以外にも、攪拌軸（３１）と攪拌軸（３２）とで攪拌部材（３）の取付方向を変える、例えば、攪拌軸（３１）と攪拌軸（３２）とで攪拌部材（３）が左右対称となるように構成する、或いは、攪拌軸（３１，３２）に対して夫々複数の攪拌部材（３）を設ける、例えば、攪拌軸（３１，３２）に対して夫々軸対称に二枚の攪拌部材（３）を配設するようにしても良い。
【００３９】
以上、説明した本発明に係るトナー収納容器は、上述の如く、プリンタ、複写機、ファクシミリ等の画像形成装置に着脱可能に取付けられる。
図５は、本発明に係るトナー収納容器が画像形成装置に対して装着される直前を示す概略斜視図である。
また、図６は、本発明に係るトナー収納容器を画像形成装置に固定する様子を経時的に並べた概略正面図である。
更に、図７は、本発明に係るトナー収納容器が画像形成装置に固定装着されている状態を示す概略斜視図である。
以下、図５乃至図７を参照しつつ画像形成装置に対するトナー収納容器の装着工程について説明する。
尚、図５におけるトナー収納容器に設けられるロック部材等の図示は省略する。
【００４０】
図５に示される如く、画像形成装置（Ｍ）は、所謂複写機であり、前面部（図５においては手前側）の扉を開放することにより、トナー収納容器が装着される装着部が開放される。
トナー収納容器（Ｃ)は、この装着部に対して所定の向きにて(図において、蓋体（２）に表示される矢印の方向を装着部へ向けて）作業者により挿入される。
この際、トナー収納容器（Ｃ）に設けられるロック部材（６）は、上述した如く、固定解除の状態（図６上図参照）となっている。
【００４１】
次に、トナー収納容器（Ｃ）を、装着方向へと挿入していくと、所定の位置にてロック部材（６）の本体部（６２）が、画像形成装置（Ｍ）の第一ストッパ部（Ｍ１）に当接する（図６上図参照）。
この状態から、ロック部材（６）を、所定方向（図６においては反時計回り）へと回転させる（図６中図参照）。すると、上記したように攪拌軸（３１，３２）が連動して回転し、この攪拌軸（３１，３２）に支持される攪拌部材（３）が凝集するトナーの解し動作を行う。
この際、ハウジング（１）他端に設けられる駆動ギヤ（７）と画像形成装置（Ｍ）の駆動手段（モータ等）とは、接続されていない。
【００４２】
ここで、図６に示されるように、画像形成装置（Ｍ）の第一ストッパ部（Ｍ１）において、ロック部材（６）の回転方向終端位置の延長方向には、第二ストッパ部（Ｍ２）が設けられている。この第二ストッパ部（Ｍ２）は、第一ストッパ部（Ｍ１）よりも装着方向（図６において紙面垂直方向）に所定量凹んでいる（図７参照）。
【００４３】
次に、図６中図の位置までロック部材（６）を回転させた後、トナー収納容器（Ｃ）を再度、装着方向へと挿入し、ロック部材（６）を図６下図に示される位置まで回転させる。この段階でロック部材（６）と攪拌軸（３１）の噛合は解除される。
これにより、駆動ギヤ（７）は画像形成装置（Ｍ）の駆動手段と接続され、また、ロック部材（６）は、画像形成装置（Ｍ）に固定される。
以上の工程を経て、トナー収納容器（Ｃ）が画像形成装置（Ｍ）に固定されることにより、画像形成装置（Ｍ）においても、トナー凝集による過負荷を抑制することが可能となる。
【００４４】
また、本明細書中では、攪拌軸に被動ギヤを設け、別体の駆動ギヤを介して駆動手段からの回転を攪拌軸に伝達する構成であるが、駆動手段を直接攪拌軸に接続することも当然可能である。
【００４５】
また、本発明に係るトナー収納容器は、現像装置と別体で構成しているが、一体にして構成することが可能であることは言うまでもない。
更に、本明細書中では、本発明に係るトナー収納容器を装着する画像形成装置として複写機を例示したが、本発明はこれに限られるものではなく、プリンタ、ファクシミリ等にも好適に利用可能である。
【産業上の利用可能性】
【００４６】
本発明は、プリンタ、複写機、ファクシミリ等に代表される画像形成装置に着脱可能に固定装着されるトナーカートリッジ、トナーコンテナ等のトナー収納容器として好適に利用可能である。
【図面の簡単な説明】
【００４７】
【図１】（ａ）は、本発明に係るトナー収納容器を示す概略斜視図であり、（ｂ）は、本発明に係るトナー収納容器において蓋体を取り外した状態を示す概略斜視図である。
【図２】図１におけるＡ−Ａ線概略断面図である。
【図３】図１における矢印（Ｂ）方向からの概略斜視図である。
【図４】本発明に係るトナー収納容器においてロック部材本体部を省略した状態を示す部分概略斜視図であり、（ａ）は、ロック部材が固定解除の状態を示しており、（ｂ）は、ロック部材が固定の状態を示している。
【図５】本発明に係るトナー収納容器が画像形成装置に対して装着される直前を示す概略斜視図である。
【図６】本発明に係るトナー収納容器を画像形成装置に固定する様子を経時的に並べた概略正面図である。
【図７】本発明に係るトナー収納容器が画像形成装置に固定装着されている状態を示す概略斜視図である。
【符号の説明】
【００４８】
Ｃ    トナー収納容器
１    ハウジング
３    攪拌部材
３１，３２    攪拌軸
６    ロック部材
Ｍ    画像形成装置
【図１】
2007316447.tif 000003
【図２】
2007316447.tif 000004
【図３】
2007316447.tif 000005
【図４】
2007316447.tif 000006
【図５】
2007316447.tif 000007
【図６】
2007316447.tif 000008
【図７】
2007316447.tif 000009